(57)【特許請求の範囲】
【請求項１】
ハウジングに回転可能に支持され、ローラ（もみ玉）が円筒周面に配置されたローラユニットと、ハウジングに装着されてローラユニットの周囲をローラごと覆うカバーとを備え、前記カバーの一端部にはハウジングに係止されるロッドが取付けられると共に、他端部にはハウジングに固定されるプレートが取付けられ、ハウジングに係止されたロッドの係止状態を、ハウジングに固定されたプレートで保持することで、カバーがハウジングに装着されることを特徴とするマッサージ器。
【請求項２】
ハウジングに固定された軸部を有し、内部にモータが取付けられたモータユニットと、このモータユニット内のモータの回転軸に一端部が連結され、他端部がハウジングに回転可能に支持された駆動シャフトと、この駆動シャフトに固定された一方のローラ支持板と、前記モータユニットの軸部に回転可能に支持された他方のローラ支持板と、ローラ（もみ玉）を有し、両ローラ支持板間に架設されたローラシャフトとを配備したローラユニットと、ハウジングに装着されてローラユニットの周囲をローラごと覆うカバーとを備え、前記カバーの一端部にはハウジングに係止されるロッドが取付けられると共に、他端部にはハウジングに固定されるプレートが取付けられ、ハウジングに係止されたロッドの係止状態を、ハウジングに固定されたプレートで保持することで、カバーがハウジングに装着されることを特徴とするマッサージ器。
【請求項３】
前記ロッドは、ハウジングに設けられたロッド収容溝に嵌め込まれ、このロッド収容溝が前記プレートで塞がれることで、ハウジングに対するロッドの係止状態が保持されることを特徴とする請求項１又は請求項２記載のマッサージ器。
【請求項４】
前記ロッドは、カバーの一端部に形成された折り返し縫い部に挿通され、前記プレートは、カバーの他端部に形成された折り返し縫い部に挿通されていることを特徴とする請求項１、請求項２又は請求項３記載のマッサージ器。
【発明の詳細な説明】
【０００１】
【発明の属する技術分野】
本発明は、身体の各部（足裏、足首、ふくらはぎ、太股、尻、腰、腕、首等）の疲れをほぐしたり、ぜい肉を取ったりするために使用されるマッサージ器に関する。
【０００２】
【従来の技術】
その種のマッサージ器としては、例えば実開昭６３−４０９３０号に記載された「美容健康器」がある。この美容健康器は、図１４に示すように、対向配置された一対の支持フレーム１００のうち、一方（右側）の支持フレーム１００に、モータ１０１が固定されたハウジング１０２の軸部１０２ａが固定され、他方（左側）の支持フレーム１００に、モータ１０１の出力軸１０３が軸受１０４により回転可能に支持されている。出力軸１０３には、ローラ支持板１０５が固定され、ハウジング１０２の軸部１０２ａには、ローラ支持板１０６が軸受１０７により回転可能に支持されている。
【０００３】
両ローラ支持板１０５，１０６には、ドラム状の保護カバー１０８が取付けられ、この保護カバー１０８から小間隙を置いて、複数本のマッサージローラ１０９が両ローラ支持板１０５，１０６に回転可能に取付けられている。又、全てのマッサージローラ１０９の外周は、皮膚への接触感をソフトにすると共に内部構造を隠すための布製等のカバー１１０で覆われている。
【０００４】
この健康器では、モータ１０１の作動により出力軸１０３が回転するのに伴って、ローラ支持板１０５，１０６が回転し、マッサージローラ１０９も回転する。このマッサージローラ１０９の回転動作により、身体の各部がマッサージされる。
【０００５】
【発明が解決しようとする課題】
ところで、図１４のような従来のマッサージ器では、マッサージローラ１０９の回転時にはローラ１０９がカバー１１０に接触するため、カバー１１０は位置ずれを起こさないように支持フレーム１００にしっかりと取付けることが肝要である。
【０００６】
従来、カバーの取付け方は、一般にカバーの両端部の両側にそれぞれ紐（ロープ等も含む）が設けられており、カバーでマッサージローラの周囲を覆い、両端部同士でそれぞれ対応する紐を結び、この紐の結び目をマッサージ器本体（ハウジング）に固定したプレートで覆い隠すようにしていた。
しかしながら、カバーでマッサージローラを強く締付けるように紐を結ぶのは大変難しく、カバーが或る程度緩んだ状態で装着されることが多い。そのような状態であると、前記したように、マッサージローラの回転によりカバーの位置がずれ易くなる。逆に、カバーでマッサージローラをきつく締付けようとすると、紐を結ぶ作業に手間が掛かることになる。その上、カバーを取り外すのも、プレートを外してから、紐の結び目を解かなければならず、この作業も面倒である。更には、カバーの両端部は突き合わされているに過ぎない上に、この突き合わせ部分がプレートで覆われるため、体裁が余り良くない。
【０００７】
従って、本発明は、そのような問題点に着目してなされたもので、マッサージ器本体に対するカバーの着脱性の向上、カバー取付部の体裁の改善を実現するマッサージ器を提供することを目的とする。
【０００８】
【課題を解決するための手段】
前記目的を達成するために、本発明の請求項１記載のマッサージ器は、ハウジングに回転可能に支持され、ローラ（もみ玉）が円筒周面に配置されたローラユニットと、ハウジングに装着されてローラユニットの周囲をローラごと覆うカバーとを備え、前記カバーの一端部にはハウジングに係止されるロッドが取付けられると共に、他端部にはハウジングに固定されるプレートが取付けられ、ハウジングに係止されたロッドの係止状態を、ハウジングに固定されたプレートで保持することで、カバーがハウジングに装着されることを特徴とする。
【０００９】
又、請求項２記載のマッサージ器は、ハウジングに固定された軸部を有し、内部にモータが取付けられたモータユニットと、このモータユニット内のモータの回転軸に一端部が連結され、他端部がハウジングに回転可能に支持された駆動シャフトと、この駆動シャフトに固定された一方のローラ支持板と、前記モータユニットの軸部に回転可能に支持された他方のローラ支持板と、ローラ（もみ玉）を有し、両ローラ支持板間に架設されたローラシャフトとを配備したローラユニットと、ハウジングに装着されてローラユニットの周囲をローラごと覆うカバーとを備え、前記カバーの一端部にはハウジングに係止されるロッドが取付けられると共に、他端部にはハウジングに固定されるプレートが取付けられ、ハウジングに係止されたロッドの係止状態を、ハウジングに固定されたプレートで保持することで、カバーがハウジングに装着されることを特徴とする。
【００１０】
これらのマッサージ器では、いずれもカバーの一端部に取付けられたロッドがハウジング（マッサージ器本体）に係止され、カバーの他端部に取付けられたプレートがハウジングに固定され、固定されたプレートによってハウジングに対するロッドの係止状態が保持される。即ち、プレートがロッドの固定機能を兼有している。
【００１１】
従って、カバーをハウジングに装着するには、ロッドをハウジングに係止させてから、プレートをハウジングに固定すれば、プレートによりロッドがハウジングに固定されることになるので、カバーの装着が容易である。反対に、カバーを取り外す場合は、プレートをハウジングから外せば、ロッドはハウジングに係止しているだけなので容易に外せる。これにより、カバーの着脱性が向上する。しかも、カバーの取付部はプレートで覆い隠すことができるので、体裁を良くすることが可能である。
【００１２】
【発明の実施の形態】
以下、本発明を実施の形態に基づいて説明する。
一実施形態に係るマッサージ器の外観斜視図を図１に、その平面図を図２に、図２の右側面図を図３に示す。このマッサージ器は、上ハウジング２と下ハウジング３からなるハウジング１を備え、上ハウジング２には、電源スイッチ４の他に、各種スイッチ５（ａ〜ｅ）が配置されている。又、リモートコントローラ６を備え、リモートコントローラ６からの信号を受信するリモコン受信部７が上ハウジング２に設けられている。更に、ハウジング１から電源コード８が延出し、下ハウジング３の底部には滑り止めゴム９が取付けられている。
【００１３】
なお、この実施形態のマッサージ器で、スイッチ５ａは、ローラのプログラム動作パターン（高機能）を選択するプログラム動作スイッチ、スイッチ５ｂは、ローラのプログラム動作パターン（単機能）を選択するプログラム動作スイッチ、スイッチ５ｃは、ローラの回転方向を変える方向スイッチ、スイッチ５ｄは、ローラの回転を遅くする（下限は固定）速さスイッチ、スイッチ５ｅは、ローラの回転を速くする（上限は固定）速さスイッチである。
【００１４】
このマッサージ器における上ハウジング２を取り外した状態の要部平面図を図４に、図４の一部破断断面図を図５に、図５の左側面図を図６に、図５の線Ａ−Ａにおける断面図を図７に、図６の線Ｂ−Ｂにおける断面図を図８に、図４の内部構造を示す一部破断断面図を図９に、図９の線Ｃ−Ｃにおける断面図を図１０に、図９の線Ｄ−Ｄにおける断面図を図１１に示す。
【００１５】
これらの図に示すマッサージ器の内部構造において、モータユニット１０は、ハウジング１に固定された軸部１０ａを有し、内部にモータ１１が取付けられている。モータ１１の回転軸１２は、モータ１１の回転数の減速やトルクの高出力化等を行うための歯車ユニット１３，１４に連結され、歯車ユニット１４に駆動シャフト２０の一端部が連結されている。駆動シャフト２０の他端部はハウジング１に回転可能に支持されている。
【００１６】
駆動シャフト２０には、一方のローラ支持板３０が固定され、モータユニット１０の軸部１０ａに、他方のローラ支持板３１が軸受３３によって回転可能に支持されている。両ローラ支持板３０，３１間には、複数本（ここでは８本）のローラシャフト４０が等角度間隔で同心円上に架設され、各ローラシャフト４０は、３つの大ローラ４１、２つの小ローラ４２、３つの長尺スペーサ４３、及び１つの短尺スペーサ４４を有する。又、ローラシャフト４０を撓まないように支持する環状のローラシャフト支持板５０が全てのローラシャフト４０に固定され、ローラシャフト４０と一体に回転する。
【００１７】
このローラマッサージ器では、モータユニット１０、駆動シャフト２０、ローラ支持板３０，３１、大ローラ４１及び小ローラ４２付きのローラシャフト４０、ローラシャフト支持板５０等により、ローラユニット６０が構成され、ローラユニット６０がハウジング１に回転可能に支持されている。
更に、各部について詳細に説明する。モータユニット１０内に設けられた歯車ユニット１３，１４は歯車ケース１５に収容され、歯車ケース１５はモータユニット１０の一部を構成する。歯車ケース１５内部において、駆動シャフト２０は、歯車ケース１５内に嵌め込まれたブシュ１６により、ぐらつかないように支持されている。
【００１８】
駆動シャフト２０の他端部は、ハウジング１に設けられた軸受２１により回転可能に支持されている。軸受２１は、振動や騒音の防止のために、環状のゴム（弾性材）２２で包囲された状態で、シャフトホルダ２３がネジ２４により下ハウジング３に取付けられることで、ハウジング１に固定される（図１１参照）。
一方、モータユニット１０の軸部１０ａは、同様に振動や騒音の防止のために、環状のゴム（弾性材）２５で包囲された状態で、軸部ホルダ２６がネジ２７により下ハウジング３に取付けられることで、ハウジング１に固定される。更に、ゴムチューブ２８内に挿入されたストッパピン２９が軸部１０ａを上下方向に貫通して下ハウジング３の溝穴に嵌入されることで、軸部１０ａが下ハウジング３に動かないように固定される（図１０参照）。
【００１９】
駆動シャフト２０とローラ支持板３０は、駆動シャフト２０の外周に形成されたネジ部とローラ支持板３０の孔の内周に形成されたネジ部とが螺合することで、一体に固定される。ローラ支持板３１はモータユニット１０の軸部１０ａに軸受３３により支持されるが、軸受３３は軸受ホルダ３４に保持され、この軸受ホルダ３４にローラ支持板３１が一体に取付けられている。従って、ローラ支持板３１は、軸受ホルダ３４内の軸受３３を介して軸部１０ａにより支持されることになる。
【００２０】
８本のローラシャフト４０のうち、互いに９０°の角度間隔を置く４本のローラシャフト４０は、図６に示すように、ローラ支持板３１の貫通孔に挿入された一端部にＥリング３５が嵌め付けられることで、ローラ支持板３１に抜けないように取付けられる。ローラシャフト４０の他端部も、同様にローラ支持板３０に取付けられる。残りの４本のローラシャフト４０は、その一端部がローラ支持板３１の溝に嵌入されることで、ローラ支持板３１に取付けられる。勿論、他端部も同様にローラ支持板３０に取付けられる（図８参照）。
【００２１】
又、８本のローラシャフト４０のうち、互いに等角度間隔（９０°）を置く４本のローラシャフト４０は、左部に２つの大ローラ４１及び１つの長尺スペーサ４３と、右部に１つの大ローラ４１及び２つの長尺スペーサ４３と、中央部に２つの小ローラ４２及び１つの短尺スペーサ４４とを有する。残りの４本のローラシャフト４０は、左部に１つの大ローラ４１及び２つの長尺スペーサ４３と、右部に２つの大ローラ４１及び１つの長尺スペーサ４３と、中央部に２つの小ローラ４２及び１つの短尺スペーサ４４とを有する。但し、中央部の２つの小ローラ４２と１つの短尺スペーサ４４は、ローラシャフト支持板５０の内側に配置されている。この大ローラ４１と長尺スペーサ４３の配列の仕方が異なるローラシャフト４０が交互に配置されている。
【００２２】
ローラシャフト支持板５０は、８本のローラシャフト４０に固定され、ローラシャフト４０と一体に回転する。このローラシャフト支持板５０の中央をモータユニット１０が挿通し、ローラシャフト支持板５０がモータユニット１０に接触しないようになっている。
全てのローラシャフト４０の周囲は、身体各部への接触感をソフトにすると共に内部構造を隠すためのカバークロス（カバー）４７で覆われている。カバークロス４７の取付構造は、図１２（要部概略断面図）及び図１３（ハウジング１の部分底面図）に示す通りである。即ち、カバークロス４７の両端部には、それぞれ小さめと大きめの折り返し縫いが施され、小さめの折り返し縫い部にはロケーションロッド７０が挿通され、大きめの折り返し縫い部にはロケーションプレート７１が挿通される。ハウジング１（下ハウジング３）の底部には、カバークロス４７の案内と取付けを兼ねるガイド板３ａが配置され、ガイド板３ａはロッド７０を嵌め込むロッド収容溝３ｂを有する。
【００２３】
なお、図面には現れていないが、ロッド７０は、その両端にロッド収容溝３ｂから容易に抜け出さないように引っ掛かりを有する。又、カバークロス４７の両端部の両側には、従来と同様にそれぞれ紐（ロープ等も含む）が一応設けられているが、この紐はカバークロス４７を取付けるためのものではなく、単にカバークロス４７の輪状態を維持するためのもので、カバークロス４７の取付けは、ロッド収容溝３ｂ、ロッド７０、プレート７１で行う。
【００２４】
この取付構造では、まずカバークロス４７に取付けたロッド７０をガイド板３ａのロッド収容溝３ｂに嵌め込み、カバークロス４７を引っ張りながら、ローラユニット６０の周囲をローラ４１，４２ごと覆うと共に、ハウジング１の底部を覆う。次に、カバークロス４７に取付けたプレート７１でロッド７０をロッド収容溝３ｂに押し込むと共に、ロッド収容溝３ｂを塞ぎ、プレート７１の両端を固定ビス７２でガイド板３ａに固定することで、カバークロス４７がハウジング１に装着される。
【００２５】
従って、このカバーの取付構造によれば、ロッド７０をロッド収容溝３ｂに嵌め込み、プレート７１をガイド板３ａに固定すればよいので、カバークロス４７の装着が容易である。反対に、プレート７１をガイド板３ａから外し、ロッド７０をロッド収容溝３ｂから外せば、カバークロス４７を容易に取り外せる。しかも、カバークロス４７の取付部（主にロッド収容溝３ｂ）はプレート７１で覆い隠されるので、体裁が良くなる。
【００２６】
【発明の効果】
本発明の請求項１及び請求項２のマッサージ器は、以上説明したように構成されるので、下記の効果（１）〜（３）を有する。
（１）ハウジング（マッサージ器本体）に対するカバーの着脱が容易である。
（２）カバーの取付部をプレートで覆い隠すことができるので、体裁を良くすることが可能である。
（３）プレートがロッドの固定機能を兼有するので、部品点数を削減できる。
【図面の簡単な説明】
【図１】一実施形態に係るマッサージ器の外観斜視図である。
【図２】図１のマッサージ器の平面図である。
【図３】図２のマッサージ器の右側面図である。
【図４】図２のマッサージ器において、上ハウジングを取り外した状態の要部平面図である。
【図５】図４のマッサージ器の一部破断断面図である。
【図６】図５のマッサージ器の左側面図である。
【図７】図５の線Ａ−Ａにおける断面図である。
【図８】図６の線Ｂ−Ｂにおける断面図である。
【図９】図４のマッサージ器の内部構造を示す一部破断断面図である。
【図１０】図９の線Ｃ−Ｃにおける断面図である。
【図１１】図９の線Ｄ−Ｄにおける断面図である。
【図１２】同マッサージ器におけるカバーの取付構造を示す要部概略断面図である。
【図１３】同マッサージ器のハウジングの部分底面図である。
【図１４】従来例に係るマッサージ器の要部断面図である。
【符号の説明】
１            ハウジング
３ａ          ガイド板
３ｂ          ロッド収容溝
１０          モータユニット
１０ａ        軸部
１１          モータ
１２          回転軸
２０          駆動シャフト
３０，３１    ローラ支持板
４０          ローラシャフト
４１，４２    ローラ
４７          カバークロス（カバー）
６０          ローラユニット
７０          ロッド
７１          プレート
【図１】
0003552496.tif 000002
【図２】
0003552496.tif 000003
【図３】
0003552496.tif 000004
【図４】
0003552496.tif 000005
【図５】
0003552496.tif 000006
【図６】
0003552496.tif 000007
【図７】
0003552496.tif 000008
【図８】
0003552496.tif 000009
【図９】
0003552496.tif 000010
【図１０】
0003552496.tif 000011
【図１１】
0003552496.tif 000012
【図１２】
0003552496.tif 000013
【図１３】
0003552496.tif 000014
【図１４】
0003552496.tif 000015